(57)【要約】【課題】回路基板の位置ズレの小さい回路基板の取付構造を提供すること。【解決手段】本発明の回路基板の取付構造において、取付部材１の支持板１ｂに設けられた取付舌片１ｄが回路基板２の第１，第２の辺２ａ、２ｂのそれぞれに対して傾斜した状態で取付孔２ｃに挿入されているため、取付孔２ｃと取付舌片１ｄの端部との間の隙間を小さくできて、回路基板２は、第１の辺２ａ方向（Ｘ方向）、及び第２の辺２ｂ方向（Ｙ方向）における移動が小さくなって、回路基板２の位置ズレを小さくできる。【選択図】図２
2007299996.tif 000002
【特許請求の範囲】
【請求項１】
円形状の複数の取付孔を有する回路基板と、この回路基板を取り付けるための取付部材とを備え、前記回路基板は、互いに平行な一対の第１の辺と、この第１の辺に対して直角で、互いに平行な一対の第２の辺を有した四角形状をなすと共に、前記回路基板に設けられた前記取付孔は、前記第１，第２の辺の何れか一方の対向するそれぞれの辺の近傍に配設され、前記取付部材は、互いに間隔を置いて配置された支持板と、この支持板に形成され、前記取付孔に挿入される取付舌片を有し、前記取付舌片が前記第１，第２の辺のそれぞれに対して傾斜した状態で前記取付孔に挿入されて、前記回路基板が前記取付部材に取り付けられたことを特徴とする回路基板の取付構造。
【請求項２】
前記取付孔は、対向する前記辺の近傍にそれぞれ複数設けられたことを特徴とする請求項１記載の回路基板の取付構造。
【請求項３】
前記取付舌片は、前記第１，第２の辺のそれぞれに対して４５度に傾斜して配置されたことを特徴とする請求項１，又は２記載の回路基板の取付構造。
【請求項４】
前記回路基板の前記取付孔の周辺には、前記取付舌片を半田付けするためのランド部が設けられたことを特徴とする請求項１から３の何れか１項に記載の回路基板の取付構造。
【請求項５】
前記取付部材は、前記回路基板を取り付けるための枠体、或いはカバーで形成されると共に、前記枠体、或いは前記カバーは、四角形状に配置された側壁を有し、前記支持板は、前記回路基板の前記第１，第２の辺に沿って配置された前記側壁で形成されたことを特徴とする請求項１から４の何れか１項に記載の回路基板の取付構造。
【請求項６】
前記取付部材は、前記回路基板を取り付けるためのカバーで形成されると共に、前記カバーは、八角形状に配置された側壁を有し、前記支持板は、前記第１，第２の辺のそれぞれに対して傾斜して配置された前記側壁で形成されたことを特徴とする請求項１から４の何れか１項に記載の回路基板の取付構造。
【発明の詳細な説明】
【技術分野】
【０００１】
本発明は、電子機器や電子回路ユニット等に使用して好適な回路基板の取付構造に関するものである。
【背景技術】
【０００２】
従来の回路基板の取付構造に係る図面を説明すると、図７は従来の回路基板の取付構造に係る要部断面図、図８は従来の回路基板の取付構造に係る回路基板と枠体の関係を示す平面図、図９は従来の回路基板の取付構造に係り、取付孔と取付舌片の状態を示す要部拡大平面図である。
【０００３】
次に、従来の回路基板の取付構造に係る構成を図７〜図９に基づいて説明すると、金属板からなる箱形の枠体５１は、底壁５１ａと、この底壁５１ａから折り曲げられて上方に延びる４つの側壁５１ｂと、底壁５１ａから上方に切り起こしされた支持板５１ｃと、この支持板５１ｃの端部に設けられた取付舌片５１ｄを有し、枠体５１に設けられた支持板５１ｃは、対向する側壁５１ｂに沿って複数個配置されている。
【０００４】
回路基板５２は、互いに平行な一対の第１の辺５２ａと、この第１の辺５２ａに対して直角で、互いに平行な一対の第２の辺５２ｂを有した四角形状をなすと共に、回路基板５２は、取付舌片５１ｄに対応して、第１の辺５２ａの近傍に設けられた円形状の複数の取付孔５２ｃを有する。
【０００５】
図８、図９に示すように、この回路基板５２の取付孔５２ｃには、取付舌片５１ｄが挿入され、そして、取付舌片５１ｄが挿入された際、取付舌片５１ｄは、第１の辺５２ａに対して平行に、また、第２の辺５２ｂに対して直角に配置された状態となる。
【０００６】
その結果、図９に示すように、第１の辺５２ａ方向（Ｘ方向）における取付舌片５１ｄと取付孔５２ｃとの間には、取付舌片５１ｄの幅方向の両端部側に生じる２つの隙間Ｓ３が、また、第２の辺５２ｂ方向（Ｙ方向）における取付舌片５１ｄと取付孔５２ｃとの間には、隙間Ｓ３よりも大きく、取付舌片５１ｄの幅方向の両端側面側に生じる２つの隙間Ｓ４が存在し、回路基板５２は、Ｘ，Ｙ方向に２つの隙間Ｓ３，Ｓ４の範囲で移動可能となるが、隙間Ｓ３，Ｓ４が大きいために、回路基板５２は、Ｘ，Ｙ方向の何れも位置ズレが大きく、且つ、回路基板５２は、Ｙ方向に対して一層位置ズレが大きくなる。
【０００７】
そして、回路基板５２は、枠体５１の開放部を塞ぐように配置されたカバー５３の押さえ部５３ａによって押さえられて、従来の回路基板の取付構造が形成されている（例えば、特許文献１参照）。
【特許文献１】特開平１０−３０３５９０号公報
【発明の開示】
【発明が解決しようとする課題】
【０００８】
従来の回路基板の取付構造にあっては、支持板５１ｃに設けられた取付舌片５１ｄが回路基板５２の第１の辺５２ａに対して平行に、また、第２の辺５２ｂに対して直角に配置されているため、第１の辺５２ａ方向の隙間Ｓ２と第２の辺５２ｂ方向の隙間Ｓ４が大きくなって、回路基板５２は、Ｘ，Ｙ方向の何れも位置ズレが大きく、且つ、回路基板５２は、Ｙ方向に対して一層位置ズレが大きくなるという問題がある。
【０００９】
本発明は、このような従来技術の実情に鑑みてなされたもので、その目的は、回路基板の位置ズレの小さい回路基板の取付構造を提供することにある。
【課題を解決するための手段】
【００１０】
上記の目的を達成するために、本発明は、円形状の複数の取付孔を有する回路基板と、この回路基板を取り付けるための取付部材とを備え、回路基板は、互いに平行な一対の第１の辺と、この第１の辺に対して直角で、互いに平行な一対の第２の辺を有した四角形状をなすと共に、回路基板に設けられた取付孔は、第１，第２の辺の何れか一方の対向するそれぞれの辺の近傍に配設され、取付部材は、互いに間隔を置いて配置された支持板と、この支持板に形成され、取付孔に挿入される取付舌片を有し、取付舌片が第１，第２の辺のそれぞれに対して傾斜した状態で取付孔に挿入されて、回路基板が取付部材に取り付けられたことを特徴としている。
【００１１】
このように構成した本発明は、取付舌片が回路基板の第１，第２の辺のそれぞれに対して傾斜した状態で取付孔に挿入されているため、取付孔と取付舌片の端部との間の隙間を小さくできて、回路基板は、第１の辺方向（Ｘ方向）、及び第２の辺方向（Ｙ方向）における移動が小さくなって、回路基板の位置ズレを小さくできる。
【００１２】
また、本発明は、上記発明において、取付孔は、対向する辺の近傍にそれぞれ複数設けられたことを特徴としている。
【００１３】
このように構成した本発明は、取付部材における回路基板の取付が確実にできる。
【００１４】
また、本発明は、上記発明において、取付舌片は、第１，第２の辺のそれぞれに対して４５度に傾斜して配置されたことを特徴としている。
【００１５】
このように構成した本発明は、取付孔と取付舌片の端部との間の隙間を一層小さくできて、回路基板は、第１の辺方向（Ｘ方向）、及び第２の辺方向（Ｙ方向）における移動が一層小さくなって、回路基板の位置ズレを小さくできると共に、Ｘ，Ｙ方向の隙間を等しくできる。
【００１６】
また、本発明は、上記発明において、回路基板の取付孔の周辺には、取付舌片を半田付けするためのランド部が設けられたことを特徴としている。
【００１７】
このように構成した本発明は、ランド部の存在によって、回路基板の取付が簡単にできる。
【００１８】
また、本発明は、上記発明において、取付部材は、回路基板を取り付けるための枠体、或いはカバーで形成されると共に、枠体、或いはカバーは、四角形状に配置された側壁を有し、支持板は、回路基板の第１，第２の辺に沿って配置された側壁で形成されたことを特徴としている。
【００１９】
このように構成した本発明は、四角形状の側壁を有した枠体やカバーへの回路基板の取付に使用して好適なものが得られる。
【００２０】
また、本発明は、上記発明において、取付部材は、回路基板を取り付けるためのカバーで形成されると共に、カバーは、八角形状に配置された側壁を有し、支持板は、第１，第２の辺のそれぞれに対して傾斜して配置された側壁で形成されたことを特徴としている。
【００２１】
このように構成した本発明は、八角形状の側壁を有したカバーへの回路基板の取付に使用して好適なものが得られる。
【発明の効果】
【００２２】
本発明は、取付舌片が回路基板の第１，第２の辺のそれぞれに対して傾斜した状態で取付孔に挿入されているため、取付孔と取付舌片の端部との間の隙間を小さくできて、回路基板は、第１の辺方向（Ｘ方向）、及び第２の辺方向（Ｙ方向）における移動が小さくなって、回路基板の位置ズレを小さくできる。
【発明を実施するための最良の形態】
【００２３】
発明の実施の形態について図面を参照して説明すると、図１は本発明の回路基板の取付構造の第１実施例に係り、一部を切断した正面図、図２は本発明の回路基板の取付構造の第１実施例に係る下面図、図３は本発明の回路基板の取付構造の第１実施例に係り、裏返した状態の分解斜視図、図４は本発明の回路基板の取付構造の第１実施例に係り、取付孔と取付舌片の状態を示す要部拡大平面図、図５は本発明の回路基板の取付構造の第２実施例に係る平面図、図６は本発明の回路基板の取付構造の第２実施例に係る下面図である。
【００２４】
次に、本発明の回路基板の取付構造の第１実施例に係る構成を図１〜図４に基づいて説明すると、金属板の箱形のカバーからなる取付部材１は、上壁１ａと、この上壁１ａから折り曲げられて下方に延びる４つの側壁からなる支持板１ｂと、この支持板１ｂから内方（開放部側）に延びる複数の腕部１ｃと、この腕部１ｃの端部から上方に突出する複数の取付舌片１ｄを有する。
【００２５】
そして、支持板１ｂである側壁は、互いに平行で、直角に配置された２対の側壁で形成されて四角形状をなし、また、取付舌片１１ｄは、対向する一対の支持板（側壁）１ｂのそれぞれに複数個が互いに対向して配置されると共に、取付舌片１ｄは、全ての支持板（側壁）１ｂに対して４５度に傾斜した状態で設けられ、且つ、互いに対向する取付舌片１ｄは、ハ字状に配置されている。
【００２６】
絶縁材からなる回路基板２は、互いに平行な一対の第１の辺２ａと、この第１の辺２ａに対して直角で、互いに平行な一対の第２の辺２ｂを有した四角形状をなすと共に、回路基板２は、取付舌片１ｄに対応して、第１の辺２ａの近傍に設けられた円形状の複数の取付孔２ｃを有する。
【００２７】
また、この回路基板２の貫通孔２ｃの周辺には、ランド部３が設けられると共に、図１に示すように、回路基板２には、配線パターン４と、種々の電子部品５が設けられて、所望の電気回路が形成されている。
【００２８】
そして、回路基板２が取付部材（カバー）１の開放部を覆うように配置され、この回路基板２の取付孔２ｃには、取付舌片１ｄが挿入されると共に、この取付舌片１ｄとランド部３が半田付けされて、回路基板２が取付部材（カバー）１に取り付けられて、本発明の回路基板の取付構造が形成されている。
【００２９】
このような構成を有する本発明の回路基板の取付構造は、取付舌片１ｄが貫通孔２ｃに挿入された際、図２，図４に示すように、取付舌片１ｄは、第１、第２の辺２ａ、２ｂに対して４５度に傾斜した状態で配置されている。
【００３０】
その結果、図４に示すように、第１の辺２ａ方向（Ｘ方向）における取付舌片１ｄの幅方向の先端部と取付孔２ｃとの間には、取付舌片１ｄの両端部側に生じる２つの隙間Ｓ１が、また、第２の辺２ｂ方向（Ｙ方向）における取付舌片１ｄの幅方向の先端部と取付孔２ｃとの間には、取付舌片１ｃの両端部側に生じる２つの隙間Ｓ２が存在し、回路基板２は、Ｘ，Ｙ方向に２つの隙間Ｓ１，Ｓ２の範囲で移動可能となる。
【００３１】
そして、貫通孔２ｃに挿入された取付舌片１ｃを、第１，第２の片２ａ、２ｂに対して傾斜させると、取付舌片１ｃの幅方向の両端部は、貫通孔１ｃの内面に近づき、隙間Ｓ１，Ｓ２が小さくなって、回路基板２は、Ｘ，Ｙ方向の何れも位置ズレが小さく、また、取付舌片１ｃの傾きを４５度にした場合は、隙間Ｓ１，Ｓ２を等しくできて、回路基板２の位置ズレは、Ｘ，Ｙ方向の双方において、最も小さくできる。
【００３２】
なお、上記実施例において、貫通孔２ｃが第２の辺２ｂ側に設けられても良く、また、取付舌片１ｃの傾きが４５度以外のもでも良い。
【００３３】
また、本発明は、取付部材１が回路基板２を取り付けるための枠体で形成されると共に、枠体は、四角形状に配置された側壁を有し、支持板１ｂは、回路基板２の第１，第２の辺２ａ、３ｂに沿って配置された側壁で形成されたものでも良い。
【００３４】
また、図５，図６は本発明の回路基板の取付構造に係る第２実施例を示し、この第２実施例について説明すると、取付部材１は、回路基板２を取り付けるためのカバーで形成されると共に、取付部材１であるカバーは、八角形状に配置された支持板１ｅである側壁を有し、回路基板２の第１，第２の辺２ａ、２ｂのそれぞれに対して傾斜して配置された側壁からなる支持板１ｅには、端部から直線状に突出する取付舌片１ｄが形成されている。
【００３５】
そして、この取付舌片１ｄが貫通孔２ｃに挿入されると、取付舌片１ｄは、第１、第２の辺２ａ、２ｂに対して４５度に傾斜した状態で配置されるようになって、上記第１実施例と同様に、回路基板２の位置ズレを小さくできる。
【００３６】
その他の構成は、上記実施例と同様の構成を有し、同一部品に同一番号を付し、ここではその説明を省略する。
【図面の簡単な説明】
【００３７】
【図１】本発明の回路基板の取付構造の第１実施例に係り、一部を切断した正面図である。
【図２】本発明の回路基板の取付構造の第１実施例に係る下面図である。
【図３】本発明の回路基板の取付構造の第１実施例に係り、裏返した状態の分解斜視図である。
【図４】本発明の回路基板の取付構造の第１実施例に係り、取付孔と取付舌片の状態を示す要部拡大平面図である。
【図５】本発明の回路基板の取付構造の第２実施例に係る平面図である。
【図６】本発明の回路基板の取付構造の第２実施例に係る下面図である。
【図７】従来の回路基板の取付構造に係る要部断面図である。
【図８】従来の回路基板の取付構造に係る回路基板と枠体の関係を示す平面図である。
【図９】従来の回路基板の取付構造に係り、取付孔と取付舌片の状態を示す要部拡大平面図である。
【符号の説明】
【００３８】
１  取付部材（カバー）
１ａ  城壁
１ｂ  支持板（側壁）
１ｃ  腕部
１ｄ  取付舌片
２  回路基板
２ａ  第１の辺
２ｂ  第２の辺
２ｃ  貫通孔
３  ランド部
４  配線パターン
５  電子部品
Ｓ１，Ｓ２  隙間
【図１】
2007299996.tif 000003
【図２】
2007299996.tif 000004
【図３】
2007299996.tif 000005
【図４】
2007299996.tif 000006
【図５】
2007299996.tif 000007
【図６】
2007299996.tif 000008
【図７】
2007299996.tif 000009
【図８】
2007299996.tif 000010
【図９】
2007299996.tif 000011